(57)【要約】      （修正有）【課題】基板の先端側がその荷重により垂れ下がることがなく、破損等による交換作業も極めて容易且つ迅速に行うことができる新規な鉄道模型用回路基板等を提供する。【解決手段】車体４の天井の長さ方向に長さを有し、下面には室内灯である複数の発光素子１２が実装されてなる横板部１１ａと、この横板部１１ａの基端側の下面に上端が半田付けされ、床板３に形成された基板装着部に対して着脱可能に装着される縦板部１１ｂと、を備え、横板部１１ａと縦板部１１ｂにより形成される角度は鈍角とされ、車体４が床板３に取り付けられた際には、横板部１１ａが撓んでその先端側の上面が天井の下面に圧接される。【選択図】図６
2020130635.tif 000002
【特許請求の範囲】
【請求項１】
天井と該天井の形成位置よりもやや下方に形成された複数の窓とを有する車体と、この車体に取り付けられる床板と、この床板に形成された基板装着部と、を備えた鉄道模型に装着される鉄道模型用回路基板であって、
上記車体の天井の長さ方向に長さを有し、下面には室内灯である複数の発光素子が実装されてなる横板部と、
この横板部の基端側の下面に上端が半田付けされ、上記床板に形成された基板装着部に対して着脱可能に装着される縦板部と、を備え、
上記横板部と上記縦板部とにより形成される角度は鈍角となされてなるとともに、
上記縦板部が上記基板装着部に装着され、上記車体が床板に取り付けられた際には、上記横板部が撓んで該横板部の先端側の上面が上記天井の下面に圧接されることを特徴とする鉄道模型用回路基板。
【請求項２】
天井と該天井の形成位置よりもやや下方に形成された複数の窓とを有する車体と、この車体に取り付けられる床板と、この床板に形成された基板装着部と、を備えた鉄道模型に対する鉄道模型用回路基板の装着構造であって、
上記鉄道模型用回路基板は、上記車体の天井の長さ方向に長さを有し、下面には室内灯である複数の発光素子が実装されてなる横板部と、この横板部の基端側の下面に上端が半田付けされ、上記床板に形成された基板装着部に対して着脱可能に装着される縦板部と、を備え、
上記横板部と上記縦板部とにより形成される角度は鈍角となされてなるとともに、
上記縦板部が上記基板装着部に装着され、上記車体が床板に取り付けられた際には、上記横板部が撓んで該横板部の先端側の上面が上記天井の下面に圧接されることを特徴とする鉄道模型用回路基板の装着構造。
【請求項３】
前記鉄道模型用回路基板を構成する縦板部の一方の面には、プラス端子とマイナス端子とが左右に並んで形成され、
前記基板装着部は、前記床板の上面から起立し上記縦板部の他方の面に対向する起立板部と、この起立板部にそれぞれ対向し上記縦板部に形成されたプラス端子に接触し可撓性を有するプラス側電極板部と該縦板部に形成されたマイナス端子に接触し可撓性を有するマイナス側電極板部と、を備え、
上記鉄道模型用回路基板は、上記縦板部が上記起立板部と上記プラス側電極板部及びマイナス側電極板部とにより挟持された状態で着脱可能に装着されてなるとともに、
前記車体を床板に取り付けた際には、上記横板部が撓んで該横板部の先端側の上面が上記天井の下面に圧接されことに伴って、上記縦板部が撓んで上記プラス側電極板部及びマイナス側電極が押圧されることを特徴とする請求項２記載の鉄道模型用回路基板の装着構造。
【請求項４】
前記請求項１記載の鉄道模型用回路基板、又は、前記請求項２又は３記載の何れかの鉄道模型用回路基板の装着構造を備えてなることを特徴とする鉄道模型。
【発明の詳細な説明】
【技術分野】
【０００１】
本発明は、鉄道模型の室内灯となる発光素子が下面に配置された鉄道模型用回路基板又はその装着構造若しくは鉄道模型に関するものである。
【背景技術】
【０００２】
鉄道模型（車両）は、一般的に、下方に左右の車輪が配置された床板と、この床板に装着される車体等から構成されており、これらは適宜分解可能とされている。そして、上記車体の天井面の下方には、該車体内における照明手段として、板状に成形された照明用の部材が配置され、この照明用の部材の下面には、複数の発光体が装着されており、それぞれの発光体は、上記車輪が走行するレール・左右の車輪・導電性のプレート・端子等を介して給電され発光されるように構成されている。例えば、特許文献１に鉄道模型用灯器構造として開示されたものは、長方形状に成形された導光板と、この導光板に装着された発光体とを備えたものであり、上記導光板は、床板上に配置された座席パネル上に設けられたスペーサにより、上記車体に形成された窓からは視認できない位置に支持されている。
【０００３】
また、特許文献２には、車体内に装着される照明用の部材を、長方形状に成形された透明な照明板と発光体（光源）を有するライトユニットとを室内灯セットと称して構成し、車体の内部における天井側取り付けられている。なお、この特許文献２では、上記車体に対する上記室内灯セットの装着構造に関して特に明記されていないが、上記ライトユニットの基端には、上記照明板の長さ方向とは直交する方向に垂下した左右の垂下板が図示され、これらの垂下板の表裏両面が二つの部材により挟持された状態で支持・固定されていることが図示されている。
【０００４】
また、特許文献３には、客室を照らす室内灯が実装された電気基板が両面テープ等の接着手段によりボディ（車体）の内面（天井の下面）に接合されている旨が開示されている。
【先行技術文献】
【特許文献】
【０００５】
【特許文献１】実開昭５７−９０１９７号公報
【特許文献２】特許第６００４４６２号公報
【特許文献３】特開２０１２−１５２５１８号公報
【発明の概要】
【発明が解決しようとする課題】
【０００６】
しかしながら、上記各特許文献には、以下の記載する様々な課題を有している。すなわち、上記特許文献１に開示されたものでは、上述したように、上記導光板は、床板上に配置された座席パネル上に設けられたスペーサにより支持されているが、こうしたスペーサ等を設けることは部品点数（金型）の増加や床板形状の複雑化を招き、低コストにより製造することはできない。また、上記特許文献２に開示されたものでは、ライトユニットの垂下板が二つの部材により挟持された状態で支持・固定されていることから、該ライトユニットの長さや荷重、また該ライトユイットの肉厚が薄くなればなる程、先端側が下方に撓み、場合によっては該ライトユニットの先端側が、車体に形成された窓から（外部から）視認される事態を招きかねない。また、上記特許文献３に開示されたものでは、上述したように、電気基板が両面テープ等の接着手段によりボディ（車体）の内面（天井の下面）に接合されていることから、該電気基板や照明灯が損傷した場合であっても、該電気基板を容易に交換することができない。
【０００７】
そこで、本発明は、上述した各特許文献に開示された課題を解決するために提案されたものであって、部品点数の増加や床板形状の複雑化を招くことがなく、基板の先端側がその荷重により撓んで垂れ下がることがなく基板そのものに肉厚も薄くすることができるとともに、破損等による交換作業も極めて容易且つ迅速に行うことができる新規な鉄道模型用回路基板又はその装着構造若しくはこれらを備えた鉄道模型を提供することを目的とするものである。
【課題を解決するための手段】
【０００８】
本発明は、上記課題を解決するために提案されたものであって、第１の発明（請求項１記載の発明）は、鉄道模型用回路基板に係るものであって、天井と該天井の形成位置よりもやや下方に形成された複数の窓とを有する車体と、この車体に取り付けられる床板と、この床板に形成された基板装着部と、を備えた鉄道模型に装着される鉄道模型用回路基板であって、上記車体の天井の長さ方向に長さを有し、下面には室内灯である複数の発光素子が実装されてなる横板部と、この横板部の基端側の下面に上端が半田付けされ、上記床板に形成された基板装着部に対して着脱可能に装着される縦板部と、を備え、上記横板部と上記縦板部とにより形成される角度は鈍角となされてなるとともに、上記縦板部が上記基板装着部に装着され、上記車体が床板に取り付けられた際には、上記横板部が撓んで該横板部の先端側の上面が上記天井の下面に圧接されることを特徴とするものである。
【０００９】
上記第１の発明に係る鉄道模型用回路基板では、上述したように、上記横板部と上記縦板部とにより形成される角度は鈍角となされ、縦板部が上記基板装着部に装着されるとともに、上記車体が床板に取り付けられた際には、上記横板部が撓んで該横板部の先端側の上面が上記天井の下面に圧接されるように構成されている。したがって、この鉄道模型用回路基板は、その荷重により全体が撓んで該横板部の先端側が垂れ下がり、この結果、その先端側が外部から視認されてしまうことを有効に防止することができる。また、この第１の発明に係る鉄道模型用回路基板では、上記床板に形成された基板装着部に対して縦板部が着脱可能に装着されるものであることから、この鉄道模型用回路基板や発光素子等が損傷した場合であっても、この鉄道模型用回路基板を基板装着部から簡単に取り外し、交換することができる。またさらに、この鉄道模型用回路基板は、上記基板装着部に対して縦板部が着脱可能に装着されるものであり、特別な部材を介して支持されているものではないことから、部品点数を大きく削減することができるとともに、上記床板の形状の複雑化を招くことがなく、ひいては鉄道模型全体の製造コストを低減することが可能となる。
【００１０】
また、第２の発明（請求項２記載の発明）は、鉄道模型用回路基板の装着構造に係るものであって、天井と該天井の形成位置よりもやや下方に形成された複数の窓とを有する車体と、この車体に取り付けられる床板と、この床板に形成された基板装着部と、を備えた鉄道模型に対する鉄道模型用回路基板の装着構造であって、上記鉄道模型用回路基板は、上記車体の天井の長さ方向に長さを有し、下面には室内灯である複数の発光素子が実装されてなる横板部と、この横板部の基端側の下面に上端が半田付けされ、上記床板に形成された基板装着部に対して着脱可能に装着される縦板部と、を備え、上記横板部と上記縦板部とにより形成される角度は鈍角となされてなるとともに、上記縦板部が上記基板装着部に装着され、上記車体が床板に取り付けられた際には、上記横板部が撓んで該横板部の先端側の上面が上記天井の下面に圧接されることを特徴とするものである。
【００１１】
この第２の発明に係る鉄道模型用回路基板の装着構造においても、上記第１の発明に係る鉄道模型用回路基板と同じように、部品点数の増加や床板形状の複雑化を招くことがなく、基板の先端側がその荷重により撓んで垂れ下がることがなく基板そのものに肉厚も薄くすることができるとともに、破損等による交換作業も極めて容易且つ迅速に行うことができる。
【００１２】
また、第３の発明（請求項３記載の発明）は、上記第２の発明において、前記鉄道模型用回路基板を構成する縦板部の一方の面には、プラス端子とマイナス端子とが左右に並んで形成され、前記基板装着部は、前記床板の上面から起立し上記縦板部の他方の面に対向する起立板部と、この起立板部にそれぞれ対向し上記縦板部に形成されたプラス端子に接触し可撓性を有するプラス側電極板部と該縦板部に形成されたマイナス端子に接触し可撓性を有するマイナス側電極板部と、を備え、上記鉄道模型用回路基板は、上記縦板部が上記起立板部と上記プラス側電極板部及びマイナス側電極板部とにより挟持された状態で着脱可能に装着されてなるとともに、前記車体を床板に取り付けた際には、上記横板部が撓んで該横板部の先端側の上面が上記天井の下面に圧接されことに伴って、上記縦板部が撓んで上記プラス側電極板部及びマイナス側電極が押圧されることを特徴とするものである。
【００１３】
この第３の発明に係る鉄道模型用回路基板の装着構造では、上記鉄道模型用回路基板は、上記縦板部が上記起立板部と上記プラス側電極板部及びマイナス側電極板部とにより挟持された状態で着脱可能に装着されてなるとともに、前記車体を床板に取り付けた際には、上記横板部が撓んで該横板部の先端側の上面が上記天井の下面に圧接されことに伴って、上記縦板部が撓んで上記プラス側電極板部及びマイナス側電極が押圧される。このプラス側電極板部やマイナス側電極板部を押圧する部位は、上記縦板部の一方の面に形成されたプラス端子とマイナス端子である。したがって、この第３の発明に係る鉄道模型用回路基板の装着構造によれば、鉄道模型の走行による振動等により、上記縦板部の一方の面に形成されたプラス端子と上記プラス側電極板部との間及び上記マイナス端子と上記マイナス側電極板部との間における接触不良が生じ、この結果、上記複数の発光素子の発光が不能となったりちらつき（点滅）が生じたりする危険性を有効に防止することができる。
【００１４】
また、第４の発明（請求項４記載の発明）は、鉄道模型に係るものであり、前記第１の発明に係る鉄道模型用回路基板、又は、前記第２又は第３の発明に係る鉄道模型用回路基板の装着構造の何れかを備えてなることを特徴とするものである。
【発明の効果】
【００１５】
上記第１の発明（請求項１記載の発明）に係る鉄道模型用回路基板や上記第２の発明（請求項２記載の発明）に係る鉄道模型用回路基板の装着構造、また上記第４の発明（請求項４記載の発明）に係る鉄道模型によれば、部品点数の増加や床板形状の複雑化を招くことがなく、基板の先端側がその荷重により撓んで垂れ下がることがなく基板そのものに肉厚も薄くすることができるとともに、破損等による交換作業も極めて容易且つ迅速に行うことができる。
【００１６】
特に、上記第３の発明（請求項３記載の発明）に係る鉄道模型用回路基板の装着構造によれば、鉄道模型の走行による振動等により、上記縦板部の一方の面に形成されたプラス端子と上記プラス側電極板部との間及び上記マイナス端子と上記マイナス側電極板部との間における接触不良が生じ、この結果、上記複数の発光素子の発光が不能となったりちらつき（点滅）が生じたりする危険性を有効に防止することができる。
【図面の簡単な説明】
【００１７】
【図１】本発明の実施の形態に係る鉄道模型を模式的に示す分解斜視図である。
【図２】基板装着部を拡大して示す側面図である。
【図３】鉄道模型用回路基板を模式的に示す斜視図である。
【図４】鉄道模型用回路基板を模式的示す側面図である。
【図５】鉄道模型用回路基板が基板装着部に装着された後の状態を模式的に示す側断面図である。
【図６】車体が床板に装着された後の状態を模式的に示す側断面図である。
【図７】縦板部と電極板部とが撓んだ状態を拡大して示す側断面図である。
【発明を実施するための形態】
【００１８】
以下、本発明の実施の形態に係る鉄道模型、鉄道模型用回路基板について、図面を参照しながら詳細に説明する。
【００１９】
この実施の形態に係る鉄道模型１は、図１に示すように、左右の車輪２を備えた床板３と、この床板３に着脱可能に組み付けられ該床板３とともに車両１を構成する車体４等とから構成されている。上記床板３は長方形状の板体として構成され、上記車体４は、上記床板３側に開口が形成された直方体状に形成されている。また、上記床板３及び車体４は、それぞれ樹脂又は金属を素材として成形されてなるものであり、該床板３又は車体４に一体形成された弾性変形可能な図示しない係止フック（係止爪）を他方側に形成された係止部に係止させ、または、ネジ止め等により、上記車体４が上記床板３に組み付けられるものである。
【００２０】
そして、上記床板３には、図１又は図２に示すように、基板装着部５が形成されている。この基板装着部５は、後述する鉄道模型用回路基板（以下、回路基板と言う。）１１を構成する縦板部１１ｂが着脱可能に装着されるものであり、上記床板３の一端側上面から起立してなる起立板部５ａと、この起立板部５ａの一方の面（床板３の他端側に位置する平面）に所定間隔を隔てて対向してなるプラス側電極板部６ｂと、このプラス側電極板部６ｂに並んで配置されたマイナス側電極板部７ｂと、から構成されている。上記プラス側電極板部６ｂ及びマイナス側電極板部７ｂは、上記床板３の上面に固定され図示しないリード線を介して上記左右の車輪２の一方又は他方に電気的に接続されてなるプラス側電極部材６又はマイナス側電極部材７を構成する部位である。すなわち、上記プラス側電極部材６は、図１に示すように、上記床板３の上面に固定された固定板部６ａと、この固定板部６ａの一端から折曲され該床板３の上面から起立してなる上記プラス側電極板部６ｂとから構成され、このプラス側電極板部６ｂは、上記起立板部５ａに対向している。また、マイナス側電極部材７は、上記床板３の上面に固定された固定板部７ａと、この固定板部７ａの一端から折曲され該床板３の上面から起立してなる上記マイナス側電極板部７ｂとから構成され、このマイナス側電極板部７ｂは、上記起立板部５ａに対向している。
【００２１】
なお、上記プラス側電極板部６ｂ及びマイナス側電極板部７ｂは、図２に拡大して示すように、上端側中途部には、上記起立板部５ａ側に突出した突出部（符号は省略する。）がそれぞれ折曲されることにより形成されている。すなわち、上記プラス側電極板部６ｂ及びマイナス側電極板部７ｂは、最も上端に形成され上記起立板部５ａに対向する上部垂直板部６ｃ（７ｃ）と、この上部垂直板部６ｃ（７ｃ）の下端から折曲され該起立板部５ａに徐々に接近する上方傾斜板部６ｄ（７ｄ）と、この上方傾斜板部６ｄ（７ｄ）の下端から折曲され該起立板部５ａから徐々に離間する下方傾斜板部６ｅ（７ｅ）と、この下方傾斜板部６ｅ（７ｅ）の下端から垂下してなる下部垂直板部６ｆ（７ｆ）とから構成され、上記上方傾斜板部６ｄ（７ｄ）と下方傾斜板部６ｅ（７ｅ）とにより、上記突出部が形成されている。なお、上記プラス側電極板部６ｂ及びマイナス側電極板部７ｂと上記起立板部５ａとの間隔は、後述する回路基板１１の縦板部１１ｂの肉厚よりも狭いものとされている。
【００２２】
そして、上記基板装着部５には、本発明又は本発明を構成する回路基板１１が装着されている。この回路基板１１は、フレキシブル基板であり、図１、図３又は図４に示すように、上記車体１の長さ方向に長さを有する横板部１１ａと、この横板部１１ａの基端側の下面に上端が半田付けされた縦板部１１ｂとから構成され、上記横板部１１ａの下面には、複数の発光素子１２が実装されている。これらの発光素子１２は、それぞれこの回路基板１１に形成された図示しない電気回路に接続され、後述するように電源が供給されることにより発光するＬＥＤである。また、上記縦板部１１ｂは、上記基板装着部５を構成する起立板部５ａの高さよりも長尺に成形されたものである。また、上記縦板部１１ｂの他方の面（起立板部５ａとは反対側の面）には、図３に示すように、プラス端子８とマイナス端子９がそれぞれ並んだ状態で形成されている。これらプラス側端子８及びマイナス端子９は、この縦板部１１ｂや横板部１１ａに形成された図示しない電気回路に接続されている。なお、上記プラス端子８は、後述するように、この回路基板１１の縦板部１１ｂが上記基板装着部５に装着された際、上記プラス側電極板部６ｂの突出部に接触される部位であり、上記マイナス端子９は、該回路基板１１の縦板部１１ｂが上記基板装着部５に装着された際、上記マイナス側電極板部７ｂの突出部に接触される部位である。
【００２３】
そして、上記横板部１１ａと縦板部１１ｂとにより形成される角度ａは、鈍角とされている。この角度ａは、後述するように基板装着部５に対してこの回路基板１１が装着され、その後、上記車体４を床板３に装着した際において、上記横板部１１ａの上面の先端側が該車体４の天井４ａの下面に撓んで圧接される程度のものとすれば良く、具体的には９１〜９３度とされている。
【００２４】
以下、上記回路基板１１を上記基板装着部５に装着する工程及びこの回路基板１１が上記基板装着部５に装着された後に、上記床板３に車体４を装着する工程を説明しながら、上記回路基板１１の装着構造について説明する。
【００２５】
先ず、上記回路基板１１を上記基板装着部５に装着する工程は、図１中矢印で示すように、上記床板３の上方から、上記回路基板１１を下降させ、該回路基板１１を構成する縦板部１１ｂを、上記起立板部５ａとプラス側電極板部６ｂ及びマイナス側電極板部７ｂとの間に差し込む。この際、上記プラス側電極板部６ｂ及びマイナス側電極板部７ｂには、上それぞれ上方傾斜板部６ｄ（７ｄ）が形成されていることから、上記縦板部１１ｂの下端は、上方傾斜板部６ｄ（７ｄ）の上面に当接し、この状態から更に下降させると、該縦板部１１ｂの下端はこれら上方傾斜板部６ｄ（７ｄ）の上面上に摺接するとともに、この押圧力により、上記プラス側電極板部６ｂ及びマイナス側電極板部７ｂ全体は、徐々に上記起立板部５ａから離間するように撓み、この縦板部１１ｂを更に下降させ、最終的に該縦板部１１ｂの下端を床板３の上面に当接させると、上記プラス側電極板部６ｂ及びマイナス側電極板部７ｂにそれぞれ形成された突出部の先端は、該プラス側電極板部６ｂ及びマイナス側電極板部７ｂの弾性力により、上記プラス端子８又はマイナス端子９に付勢（押圧）される。
【００２６】
そして、こうした基板装着部５に対する回路基板１１の装着作業が終了し、次いで、上記床板３上から上記車体４を下降させると、先ず、上記回路基板１１を構成する横板部１１ａの先端が該車体４の天井４ａの下面に当接し、更に該車体４を下降させると、上記横板部１１ａ全体は湾曲させられ、最終的にこの車体４を床板３に装着すると、図６に示すように、上記横板部１１ａの中途部から先端までの上面は、図６又は図７中Ｚ方向に湾曲され、上記天井の下面に圧接される。また、このように、最終的にこの車体４を床板３に装着した場合には、上記縦板部１１ｂも、該縦板部１１ｂの上端側が上記起立板部５ａから離間する方向（図６又は図７中Ｘ方向）に僅かに撓ませられる。すなわち、上記縦板部１１ｂは、上記プラス側電極板部６ｂ及びマイナス側電極板部７ｂ方向に撓ませられる。
【００２７】
なお、上記回路基板１１に実装された各発光素子１２に対する電源の供給は、この鉄道模型１が走行する図示しないレール、各車輪２、リード線を介した上記プラス側電極部材６やマイナス側電極部材７、上記回路基板１１に形成された電気回路から行われる。
【００２８】
したがって、上述した回路基板１１やこの回路基板１１の装着構造若しくは鉄道模型１によれば、該回路基板１１の荷重により全体が撓んで上記横板部１１ａの先端側が垂れ下がり、この結果、その先端側が外部から視認されてしまうことを有効に防止することができる。また、この回路基板１１では、上記床板３に形成された基板装着部５に対して縦板部１１ｂが着脱可能に装着されるものであることから、この回路基板１１や発光素子１２等が損傷した場合であっても、この回路基板１１を基板装着部５から簡単に取り外し、交換することができる。またさらに、この回路基板１１は、上記基板装着部５に対して縦板部１１ｂが着脱可能に装着されるものであり、特別な部材を介して支持されているものではないことから、部品点数を大きく削減することができるとともに、上記床板３の形状の複雑化を招くことがなく、ひいては鉄道模型１全体の製造コストを低減することが可能となる。
【００２９】
特に、上記回路基板１１の装着構造によれば、鉄道模型１の走行による振動等により、上記縦板部１１ｂの一方の面に形成されたプラス端子８と上記プラス側電極板部６ｂとの間及び上記マイナス端子９と上記マイナス側電極板部７ｂとの間における接触不良が生じ、この結果、上記複数の発光素子１２の発光が不能となったりちらつき（点滅）が生じたりする危険性を有効に防止することができる。
【００３０】
またさらに、この実施の形態に係る回路基板１１の装着構造では、上記プラス側電極板部６ｂ及びマイナス側電極板部７ｂには、上記上方傾斜板部６ｄ（７ｄ）が形成され、上記回路基板１１を基板装着部５に装着する際には、上述した一連の動作を行うことができることから、極めて容易に回路基板１１を上記回路装着部５に装着することができ、誤って上記マイナス端子９やマイナス側電極板部７ｂを変形させたり不用意に破損されたりしてしまうことを防止することができる。また、最終的に上記縦板部１１ｂの下端を床板３の上面に当接させると、上記プラス側電極板部６ｂ及びマイナス側電極板部７ｂにそれぞれ形成された突出部の先端は、該プラス側電極板部６ｂ及びマイナス側電極板部７ｂの弾性力により、上記プラス端子８又はマイナス端子９に付勢（押圧）された状態となることから、上記複数の発光素子１２の発光が不能となったりちらつき（点滅）が生じたりする危険性をより一層防止することができる。
【符号の説明】
【００３１】
１  鉄道模型
２  車輪
３  床板
４  車体
４ａ  天井
５  基板装着部
５ａ  起立板部
６ｂ  プラス側電極板部
７ｂ  マイナス側電極板部
８  プラス端子
９  マイナス端子
１１  回路基板
１１ａ  横板部
１１ｂ  縦板部
１２  発光素子
ａ  角度（鈍角）
【図１】
2020130635.tif 000003
【図２】
2020130635.tif 000004
【図３】
2020130635.tif 000005
【図４】
2020130635.tif 000006
【図５】
2020130635.tif 000007
【図６】
2020130635.tif 000008
【図７】
2020130635.tif 000009